(57)【要約】【課題】階段や玄関が風雨にさらされることがなく、外観上の見栄えも良くすることができる集合住宅を提供する。【解決手段】各階に複数の住戸１を左右に並べ、左右の中央部を凹状に窪ませて設けた空間２に面して各階の各住戸１の玄関１１を配置するとともに空間２に上階の各住戸１の玄関１１に通じる階段２１を設けた集合住宅であって、空間２を囲むように屋根３及びエントランスゲート４が設けられており、このエントランスゲート４に扉４１が取り付けられている。【選択図】  図１
2004263458.tif 000002
【特許請求の範囲】
【請求項１】
各階に複数の住戸を左右に並べ、左右の中央部を凹状に窪ませて設けた空間に面して各階の各住戸の玄関を配置するとともに該空間に上階の各住戸の玄関に通じる階段を設けた集合住宅であって、
前記空間を囲むように屋根及びエントランスゲートが設けられており、このエントランスゲートに扉が取り付けられていることを特徴とする集合住宅。
【請求項２】
前記扉が屋外から前記空間内の透視を可能とした透視部を有していることを特徴とする請求項１に記載の集合住宅。
【請求項３】
前記透視部が通風を可能とした格子状の面材からなることを特徴とする請求項２に記載の集合住宅。
【請求項４】
前記エントランスゲートは、前面より奥側に窪んだ玄関壁を有しており、この玄関壁に前記扉が設けられていることを特徴とする請求項１〜３のいずれか一項に記載の集合住宅。
【発明の詳細な説明】
【０００１】
【発明の属する技術分野】
本発明は、建物の各階に住戸を備えた集合住宅に関するものである。
【０００２】
【背景の技術】
従来の集合住宅としては、例えば各階に複数の住戸を備えた集合住宅であって、上階の各住戸の玄関に通じる外階段が設けられているものが開示されている（例えば、特許文献１参照）。
このような集合住宅によれば、各階に備えられた住戸の間取りを等しくするのが容易であることから、シンプルな住宅構造とすることが可能となる。
【０００３】
【特許文献１】
特開平６−１２８９８９号公報
【０００４】
【発明が解決しようとする課題】
しかしながら、このような集合住宅では、外階段が建物の外側に突出するように設けられているため、階段や玄関が風雨にさらされてしまう問題がある。また、外観上の見栄えが良くないので、意匠的にも問題となる。
そこで、本発明の課題は、階段や玄関が風雨にさらされることがなく、外観上の見栄えも良くすることができる集合住宅を提供することにある。
【０００５】
【課題を解決するための手段】
上記課題を解決するため、請求項１に記載の発明は、例えば図１及び図２に示すように、各階に複数の住戸１を左右に並べ、左右の中央部を凹状に窪ませて設けた空間２に面して各階の各住戸１の玄関１１を配置するとともに空間２に上階の各住戸１の玄関１１に通じる階段２１を設けた集合住宅であって、空間２を囲むように屋根３及びエントランスゲート４が設けられており、このエントランスゲート４に扉４１が取り付けられていることを特徴としている。
【０００６】
請求項１に記載の発明によれば、階段２１や玄関１１が設けられる空間２を囲む屋根３及びエントランスゲート４を備え、かつ、エントランスゲート４に扉４１を備えたので、階段２１や玄関１１が風雨にさらされることがなく、外観上の見栄えも良くすることが可能となる。
【０００７】
また、請求項２に記載の発明は、例えば図３に示すように、請求項１に記載の集合住宅において、扉４１が屋外から空間２内の透視を可能とした透視部４１ａを有していることを特徴としている。
【０００８】
請求項２に記載の発明によれば、扉４１の透視部４１ａを通じて空間２内の不審なものが自然と目に入ってしまい、加えて、住戸１近くの空間２が隠れ場として使われることもなくなるため、犯罪の予防に効果的である。
【０００９】
さらに、請求項３に記載の発明は、例えば請求項２に記載の集合住宅において、透視部４１ａが通風を可能とした格子状の面材からなることを特徴としている。
【００１０】
請求項３に記載の発明によれば、通風を可能とした格子状の面材からなる透視部４１ａを備えたので、風によって押されて又は空間２の内外で気圧の差が生じて扉４１がばたつくことがなくなる。
【００１１】
さらにまた、請求項４に記載の発明は、例えば図５に示すように、請求項１〜３のいずれか一項に記載の集合住宅において、エントランスゲート４は、前面より奥側に窪んだ玄関壁４２を有しており、この玄関壁４２に扉４１が設けられていることを特徴としている。
【００１２】
請求項４に記載の発明によれば、扉４１が設けられている玄関壁４２がエントランスゲート４の前面より奥側に窪んでいるので、荷物や家具などの物品を各住戸１に搬出入するに際しての仮置き場所４３を容易に確保することができる。
【００１３】
【発明の実施の形態】
以下、添付図面に基づいて本発明の実施の形態を詳細に説明する。
なお、ここでは、パネル工法により構築される集合住宅について説明するが、これに限られるものではない。本発明は、パネル工法以外の工法によって構築される集合住宅についても、適用可能である。
【００１４】
なお、パネル工法は、壁や床、屋根といった建物の構成部材を予め工場製作段階において基本となる平面寸法を用いてパネル化しておき、現場施工段階においてこれらのパネルを組み立てるという工法である。
【００１５】
図１は本発明の一実施の形態に係る集合住宅の全体構成を示す平面図、図２は同集合住宅の全体構成を示す正面図、図３は同集合住宅の部分構成を示す正面図、図４は同集合住宅の部分構成を示す断面図、図５は同集合住宅の部分構成を示す平面図である。
【００１６】
本実施の形態において、集合住宅は、図１及び図２に示すように、各階に複数の住戸１を左右に並べ、左右の中央部を凹状に窪ませて空間たるエントランスホール２を設けたものとして構成されている。
【００１７】
そして、この集合住宅は、これらの図に示すように、このエントランスホール２に面して各階の各住戸１の玄関１１を配置するとともにエントランスホール２に上階の各住戸１の玄関１１に通じる階段２１を設けたものとして構成されている。
【００１８】
なお、エントランスホール２には、図示しないが、階段２１の他、階段２１に連続しており、上階の各住戸１の玄関１１に通じる廊下も設けられている。
【００１９】
以下、屋根３、エントランスゲート４、エントランスホール２、扉たる開き戸４１の順にさらに詳細に説明する。
【００２０】
（１）屋根３
屋根３は、図１及び図２に示すように、エントランスゲート４とともに、エントランスホール２を囲むようにして、設けられているものとして構成されている。
【００２１】
すなわち、このような屋根３によれば、階段２１、玄関１１や廊下（図示外）、土間２２などが風雨にさらされることがなくなり、外観上の見栄えも良くすることが可能となっている。
【００２２】
（２）エントランスゲート４
エントランスゲート４は、図１及び図２に示すように、屋根３とともに、エントランスホール２を囲むようにして、設けられているものとして構成されている。
【００２３】
すなわち、このようなエントランスゲート４によれば、階段２１、玄関１１や廊下、土間２２などが風雨にさらされることがなくなり、外観上の見栄えも良くすることが可能となっている。
【００２４】
そして、このエントランスゲート４は、図１〜図５に示すように、開き戸４１が取り付けられているものとして構成されている。
【００２５】
すなわち、このような開き戸４１が取り付けられたエントランスゲート４によれば、階段２１や玄関１１、土間２２などが風雨にさらされないことになり、外観上の見栄えも良くすることが可能となっている。
【００２６】
ここで、エントランスゲート４は、図１及び図４に示すように、前面より奥側に窪んだ玄関壁４２を有している。そして、この玄関壁４２に開き戸４１が設けられている。
【００２７】
つまり、開き戸４１が設けられている玄関壁４２がエントランスゲート４の前面より奥側に窪んでいるので、荷物や家具などの物品を各住戸１に搬出入するに際しての仮置き場所４３を容易に確保することができる。
【００２８】
（３）エントランスホール２
エントランスホール２は、図１及び図２に示すように、屋根３及びエントランスゲート４によって囲まれているものとして構成されている。
【００２９】
このようなエントランスホール２によれば、風雨にさらされず風通しも良い空間が確保されることになり、かかる空間における住民同士の交流の深まりを通じて住みよいコミュニティーを形成することが可能となっている。
【００３０】
（４）開き戸４１
開き戸４１は、図１及び図２に示すように、エントランスゲート４に取り付けられているものとして構成されている。
【００３１】
すなわち、このようなエントランスゲート４に取り付けられた開き戸４１によれば、階段２１や玄関１１、土間２２などが風雨にさらされ難くなり、外観上の見栄えも良くすることが可能となっている。
【００３２】
特に、本実施の形態における開き戸４１として、アルミ素材からなるものを用いているので、見る人に高級な印象を与えることになり、外観上の見栄えをさらに良くすることが可能となっている。
【００３３】
ここで、開き戸４１は、図１及び図２に示すように、屋外からエントランスホール２内の透視を可能とした透視部４１ａを有している。
【００３４】
これにより、開き戸４１の透視部４１ａを通じてエントランスホール２内の不審なものが自然と目に入ってしまうことになり、また、住戸１近くのエントランスホール２が隠れ場として使われることもなくなる。したがって、犯罪の予防に効果的である。
【００３５】
また、透視部４１ａは、通風を可能とした格子状の面材からなっている（図２参照）。
【００３６】
これにより、風によって押されることにより又はエントランスホール２の内外で気圧の差が生じることにより開き戸４１がばたつくことがなくなる。
【００３７】
特に、本実施の形態においては、開き戸４１として、格子状の面材であるアルミ鋳物面材をアルミ框に嵌め込んでなるものを用いており、見る人に与える高級な印象を損なわないで開き戸４１のばたつきを防止している。
【００３８】
また、開き戸４１の枠４１ｂとしては、図４に示すように、上枠と両側の縦枠とからなり、下枠がないものを用いている。
【００３９】
これによれば、物品の搬出入に支障をきたしやすく、思わぬケガの原因にもなる段差が確実に解消される効果が得られる。よって、高齢者、子供、妊婦、乳母車を押す人など、エントランスホール２に出入りするすべての人々にとって利便性、安全性の向上を図ることが可能となっている。また、下枠がないので、基礎に切り欠きを設ける必要がなく、施工も容易にできる。
なお、符号４１ｃは、フランス落とし受け、を示している。
【００４０】
すなわち、このような集合住宅によれば、階段２１や玄関１１が設けられるエントランスホール２を囲む屋根３及びエントランスゲート４を備えており、また、エントランスゲート４に開き戸４１を備えたので、階段２１や玄関１１が風雨にさらされないことになっており、また、外観上の見栄えを良くすることも可能となっている。
【００４１】
【発明の効果】
本発明に係る集合住宅によれば、階段や玄関が風雨にさらされず、外観上の見栄えも良くできることになる。
【００４２】
また、屋外から空間内の透視を可能とした透視部を有する扉にすれば、扉の透視部を通じて空間内の不審なものが自然と目に入ってしまい、加えて、住戸近くの空間が隠れ場として使われることもなくなるため、犯罪の予防に効果的である。
【００４３】
さらに、通風が可能な透視部にすれば、風によって押されて又は空間の内外で気圧の差が生じて扉がばたつくことがなくなる。
【００４４】
さらにまた、エントランスゲートの前面より奥側に窪んだ玄関壁を設け、この玄関壁に扉を設ければ、荷物や家具などの物品を各住戸に搬出入するに際しての仮置き場所を容易に確保できる。
【図面の簡単な説明】
【図１】本発明の一実施の形態に係る集合住宅の全体構成を示す平面図である。
【図２】本発明の一実施の形態に係る集合住宅の全体構成を示す正面図である。
【図３】本発明の一実施の形態に係る集合住宅の部分構成を示す正面図である。
【図４】本発明の一実施の形態に係る集合住宅の部分構成を示す断面図である。
【図５】本発明の一実施の形態に係る集合住宅の部分構成を示す平面図である。
【符号の説明】
１  住戸
２  エントランスホール
３  屋根
４  エントランスゲート
１１  玄関
２１  階段
２２  土間
４１  開き戸
４１ａ  透視部
４１ｂ  枠
４２  空間
【図１】
2004263458.tif 000003
【図２】
2004263458.tif 000004
【図３】
2004263458.tif 000005
【図４】
2004263458.tif 000006
【図５】
2004263458.tif 000007